(57)【特許請求の範囲】
【請求項１】
調整前染毛剤を封入した染毛剤入り袋であって、
当該染毛剤入り袋に吐出口を形成するための吐出口形成部と、
当該染毛剤入り袋に注入口を形成するための注入口形成部と、
を備え、
前記注入口形成部により形成した注入口を上方に配向させて当該注入口から所定の注入指標に相当する液体を注入した際の注入量に相当する注入ラインが、前記吐出口形成部と前記注入口形成部との間に位置することを特徴とする染毛剤入り袋。
【請求項２】
前記吐出口は、前記吐出口形成部から当該染毛剤入り袋の角部をカットして形成され、
前記注入口は、前記角部に隣接しない前記注入口形成部から当該染毛剤入り袋の辺に沿ってカットして形成され、
前記注入口は、前記吐出口よりも大きな開口として形成されることを特徴とする請求項１に記載の染毛剤入り袋。
【請求項３】
前記注入口形成部により形成される前記注入口の開口を閉じるための閉口手段を更に有することを特徴とする請求項１又は請求項２に記載の染毛剤入り袋。
【請求項４】
調整前染毛剤を封入した染毛剤入り袋であって、
当該染毛剤入り袋に吐出口を形成するための吐出口形成部と、
当該染毛剤入り袋に注入口を形成するための注入口形成部と、
を備え、
前記注入口形成部により形成した注入口を上方に配向させて当該注入口から所定の注入指標に相当する液体を注入した際の注入量に相当する注入ラインと前記注入口形成部との間に、前記吐出口形成部が位置し、
前記吐出口は、前記吐出口形成部から当該染毛剤入り袋をカットして当該染毛剤入袋の前記注入口を有する部分を切り離すことにより形成されることを特徴とする染毛剤入り袋。
【請求項５】
調整前染毛剤を封入した染毛剤入り袋を用いた染毛方法であって、
前記染毛剤入り袋は、当該染毛剤入り袋に吐出口を形成するための吐出口形成部と、当該染毛剤入り袋に注入口を形成するための注入口形成部と、を備え、前記注入口形成部により形成した注入口を上方に配向させて当該注入口から所定の注入指標に相当する液体を注入した際の注入量に相当する注入ラインと前記注入口形成部との間に、前記吐出口形成部が位置しており、前記吐出口は、前記吐出口形成部から当該染毛剤入り袋をカットして当該染毛剤入り袋の前記注入口を有する部分を切り離すことにより形成され、
当該染毛方法においては、前記注入口形成部により前記染毛剤入り袋に前記注入口を形成し、前記注入口から前記所定の注入指標に相当する液体を前記染毛剤入り袋に注入し、前記染毛剤入り袋の中で前記調整前染毛剤と前記液体とを混錬して調整後染毛剤を作製し、前記吐出口形成部により前記染毛剤入り袋の前記注入口を有する部分を切り離して前記染毛剤入り袋に前記吐出口を形成し、前記吐出口から前記調整後染毛剤を吐出させつつ染毛を行うことを特徴とする染毛方法。
【請求項６】
調整前染毛剤を封入した染毛剤入り袋を用いた染毛方法であって、
前記染毛剤入り袋は、当該染毛剤入り袋に吐出口を形成するための吐出口形成部と、当該染毛剤入り袋に注入口を形成するための注入口形成部と、を備え、前記注入口形成部により形成した注入口を上方に配向させて当該注入口から所定の注入指標に相当する液体を注入した際の注入量に相当する注入ラインが、前記吐出口形成部と前記注入口形成部との間に位置しており、
当該染毛方法においては、前記注入口形成部により前記染毛剤入り袋に前記注入口を形成し、前記注入口から前記所定の注入指標に相当する液体を前記染毛剤入り袋に注入し、前記染毛剤入り袋の中で前記調整前染毛剤と前記液体とを混錬して調整後染毛剤を作製し、前記注入口を閉口手段で閉口し、前記吐出口形成部により前記染毛剤入り袋に前記吐出口を形成し、前記吐出口から前記調整後染毛剤を吐出させつつ染毛を行うことを特徴とする染毛方法。
【請求項７】
調整前染毛剤を封入した染毛剤入り袋であって、
当該染毛剤入り袋の角部に形成された穴に一方の開口を外部に露出して固定された口金部と、
当該染毛剤入り袋に注入口を形成するための注入口形成部と、
を備え、
前記口金部の外部に露出した開口は、開口を閉塞する蓋が着脱自在に取り付けられ、
前記注入口形成部により形成した注入口を上方に配向させて当該注入口から所定の注入指標に相当する液体を注入した際の注入量に相当する注入ラインが、前記口金部と前記注入口形成部との間に位置することを特徴とする染毛剤入り袋。
【発明の詳細な説明】
【技術分野】
【０００１】
本発明は、染毛剤入り袋、及び、染毛方法に関する。
【背景技術】
【０００２】
従来、染毛剤の販売態様として、粉状のものとペースト状のものとがある。ペースト状の染毛剤は、例えば、チューブ状容器等に封入されており、キャップを取外して開封すると即座に使用可能な状態となるものがある。一方、粉状の染毛剤は、使用前に容器で粉を液体に溶かしてペースト状に調整する作業が必要になる。また、調整された染毛剤を髪に塗布する際には、刷毛等を別途に用意する必要がある。
【０００３】
また、ペースト状の染毛剤には、例えば主剤と補助剤の２種類の液又はペーストを使用時に混合調整して使用するタイプがある。このタイプでは、別々のチューブ状容器内に用意された主剤と補助剤を、使用前にコーム上で混合調整する作業が必要になる。なお、２種類の液又はペーストを使用時に混合調整して使用するタイプには、２分割された容器内部の各室に主剤と補助剤を別々に収容し、各室からの吐出口を近接して設けたスプレー式の容器も存在し、このような二室スプレー式容器を用いれば、混合調整の作業はほぼ不要になる。
【先行技術文献】
【特許文献】
【０００４】
【特許文献１】特開２００１−１０６４２号公報
【発明の概要】
【発明が解決しようとする課題】
【０００５】
上述したように、粉状の染毛剤は、使用前に面倒な調整が必要であり、容器や刷毛などの道具を別途に用意する必要もあり、利便性が高いとは言えなかった。また、主剤と補助剤の２種を混合するタイプの染毛剤でも、使用前に混合調整が必要であり、利便性が高いとは言えなかった。むろん、二室スプレー式容器を用いれば、使用前の混合調整は不要になる可能性が高いが、コスト的に不利であり、環境負荷が大きく、容器内の残存量が把握しづらかったり、容器内容物を剰余なく用尽することが難しかったりする。なお、予め粉状の染毛剤を水等に溶いてペースト状にしたものや、２種類の液又はペーストを予め混合調整してチューブ容器等に用意したもののように、購入後に混合調整せずに使用できる染毛剤も存在するが、調整済みの染毛剤は変質しやすく保存性に問題があった。
【０００６】
本発明は、上述した課題に鑑みて為されたものであり、使用時に調整して使用する染毛剤の使用上の利便性を向上することを目的とする。
【課題を解決するための手段】
【０００７】
本発明の態様の１つは、調整前染毛剤を封入した染毛剤入り袋であって、当該染毛剤入り袋に吐出口を形成するための吐出口形成部と、当該染毛剤入り袋に注入口を形成するための注入口形成部と、を備えることを特徴とする染毛剤入り袋である。
【０００８】
このように構成された染毛剤入り袋は、吐出口形成部と注入口形成部とを別々に備えており、袋内に封入されていた調整前染毛剤の調整用剤（液体、ペースト等）の注入に最適な位置と大きさで注入口が形成され、調整済染毛剤の吐出に好適な位置と大きさで吐出口が形成されるべく、吐出口形成部と注入口形成部とが設けられている。すなわち、販売時点では染毛剤入り袋に吐出口と注入口は形成されておらず、購入後に、使用者が任意のタイミングで染毛剤入り袋に吐出口を形成し、任意のタイミングで注入口を形成することができる。このように、吐出口と注入口を各々別個に形成する構成としてあるため、まず、任意のタイミングで注入口を形成し、注入口から袋内に注入し、調整前染毛剤と調整用剤とを袋の外部から手指等で混錬して所望の調整後染毛剤を作成し、任意のタイミングで吐出口を形成し、吐出口から調整後染毛剤を吐出口から吐出させつつ使用することができる。これにより、使用時に調整して使用する染毛剤の使用上の利便性を向上することができる。
【０００９】
本発明の選択的な態様の１つは、前記注入口形成部により形成した注入口を上方に配向させて当該注入口から所定の注入指標に相当する調整用剤を注入した際の注入量に相当する注入ラインが、前記吐出口形成部と前記注入口形成部との間に位置することを特徴とする染毛剤入り袋である。
【００１０】
このように構成された染毛剤入り袋は、注入ラインを挟んで一方側に注入口、他方側に吐出口を形成する構成となる。すなわち、注入口から所定の注入指標に相当する調整用剤を注入する注入時には、注入口を上方に配向させ、主に袋の注入ラインより下方で調整前染毛剤と調整用剤を袋の外部から手指等で混錬して調整後染毛剤に調整した後、今度は、調整後染毛剤が主に滞留する注入ラインより下方に吐出口を形成して、調整後染毛剤を吐出可能にする。従って、注入、ペースト化、吐出、の各作業を、調整前染毛剤を封入した袋を用いて効率的に実行可能になる。
【００１１】
本発明の選択的な態様の１つは、前記注入口形成部により形成した注入口を上方に配向させて当該注入口から所定の注入指標に相当する調整用剤を注入した際の注入量に相当する注入ラインと前記注入口形成部との間に、前記吐出口形成部が位置することを特徴とする染毛剤入り袋である。
【００１２】
このように構成された染毛剤入り袋によれば、注入ラインに近い位置に吐出口を形成し、吐出口を挟んで注入ラインと反対側に注入口を形成する構成となる。すなわち、注入口から所定の注入指標に相当する調整用剤を注入する注入時には、注入口を上方に配向させ、吐出口形成部より下方に位置する注入ラインまで注入し、主に袋の注入ライン（及び吐出口形成部）より下方で調整前染毛剤と調整用剤を袋の外部から手指等で混錬して調整後染毛剤に調整した後、今度は、注入口に比べて調整後染毛剤が主に滞留する注入ラインに近い位置（ただし、注入ラインよりは上方）に吐出口を形成して、調整後染毛剤を吐出可能にする。従って、注入、ペースト化、吐出、の各作業を、調整前染毛剤を封入した袋を用いて効率的に実行可能になる。
【００１３】
本発明の選択的な態様の１つは、前記吐出口は、前記吐出口形成部から当該染毛剤入り袋の角部をカットして形成され、前記注入口は、前記角部に隣接しない前記注入口形成部から当該染毛剤入り袋の辺に沿ってカットして形成され、前記注入口は、前記吐出口よりも大きな開口として形成されることを特徴とする染毛剤入り袋である。
【００１４】
このように構成された染毛剤入り袋によれば、調整用剤を袋内に入れる際に必要な大開口の注入口を容易に形成可能であり、一方、調整後染毛剤を対象染毛箇所に吐出付着させ際の吐出量の微調整が可能な小開口の吐出口を容易に形成可能である。
【００１５】
本発明の選択的な態様の１つは、前記注入口形成部に形成される前記注入口の開口を閉じるための閉口手段を更に有することを特徴とする染毛剤入り袋である。
【００１６】
このように構成された染毛剤入り袋によれば、調整用剤と調整前染毛剤を混錬して調整後染毛剤を作成するべく袋の胴部を押圧する際や、調整後染毛剤を吐出口から吐出させるべく袋の胴部を押圧する際に、注入口からの調整用剤、調整前染毛剤、調整後染毛剤の漏出を防止できる。注入口の閉口には、端止めクリップ、輪ゴム等の結束手段、目玉クリップ、ゼムクリップ、ダブルクリップ、洗濯ばさみ等の挟持手段等のように、袋と別体の各種の閉口手段を用いて行えるのはもちろんであるが、袋自体が閉口手段を備えることにより、このような別体としての閉口手段を用意する必要がなく、使用者の利便性を向上することができる。
【００１７】
そのほか、本発明は、上述した各染毛剤入り袋を用いた染毛方法としても実現される。すなわち、本発明の他の態様の１つは、調整前染毛剤を封入した染毛剤入り袋を用いた染毛方法であって、前記染毛剤入り袋は、当該染毛剤入り袋に吐出口を形成するための吐出口形成部と、当該染毛剤入り袋に注入口を形成するための注入口形成部と、を備え、前記注入口形成部により形成した注入口を上方に配向させて当該注入口から所定の注入指標に相当する液体を注入した際の注入量に相当する注入ラインと前記注入口形成部との間に、前記吐出口形成部が位置しており、前記吐出口は、前記吐出口形成部から当該染毛剤入り袋をカットして当該染毛剤入り袋の前記注入口を有する部分を切り離すことにより形成され、当該染毛方法においては、前記注入口形成部により前記染毛剤入り袋に前記注入口を形成し、前記注入口から前記所定の注入指標に相当する液体を前記染毛剤入り袋に注入し、前記染毛剤入り袋の中で前記調整前染毛剤と前記液体とを混錬して調整後染毛剤を作製し、前記吐出口形成部により前記染毛剤入り袋の前記注入口を有する部分を切り離して前記染毛剤入り袋に前記吐出口を形成し、前記吐出口から前記調整後染毛剤を吐出させつつ染毛を行うことを特徴とする染毛方法である。
【００１８】
また、本発明の他の態様の１つは、調整前染毛剤を封入した染毛剤入り袋を用いた染毛方法であって、前記染毛剤入り袋は、当該染毛剤入り袋に吐出口を形成するための吐出口形成部と、当該染毛剤入り袋に注入口を形成するための注入口形成部と、を備え、前記注入口形成部により形成した注入口を上方に配向させて当該注入口から所定の注入指標に相当する調整用剤を注入した際の注入量に相当する注入ラインが、前記吐出口形成部と前記注入口形成部との間に位置しており、当該染毛方法においては、前記注入口形成部により前記染毛剤入り袋に前記注入口を形成し、前記注入口から前記所定の注入指標に相当する調整用剤を前記染毛剤入り袋に注入し、前記染毛剤入り袋の中で前記調整前染毛剤と前記調整用剤とを混錬して調整後染毛剤を作製し、前記注入口を閉口手段で閉口し、前記吐出口形成部により前記染毛剤入り袋に前記吐出口を形成し、前記吐出口から前記調整後染毛剤を吐出させつつ染毛を行うことを特徴とする染毛方法である。
【００１９】
なお、以上説明した染毛剤入り袋は、他の物品に組み込まれた状態で実施されたり他の方法とともに実施されたりする等の各種の態様を含む。また、上述した染毛方法は、他の方法の一環として実施されたり各工程に対応する手段を備えた染毛装置として実現されたりする等の各種の態様を含む。
【発明の効果】
【００２０】
本発明によれば、使用時に調整して使用する染毛剤の使用上の利便性を向上することができる。
【図面の簡単な説明】
【００２１】
【図１】第１の実施形態に係る染毛剤入り袋を平面的に見て示した図である。
【図２】図１に示す染毛剤入り袋を用いた染毛方法の手順を説明する図である。
【図３】第２の実施形態に係る染毛剤入り袋を平面的に見て示した図である。
【図４】第３の実施形態に係る染毛剤入り袋を平面的に見て示した図である。
【図５】第４の実施形態に係る染毛剤入り袋を平面的に見て示した図である。
【図６】第５の実施形態に係る染毛剤入り袋を平面的に見て示した図である。
【図７】第６の実施形態に係る染毛剤入り袋を平面的に見て示した図である。
【図８】第７の実施形態に係る染毛剤入り袋を平面的に見て示した図である。
【図９】図８に示す染毛剤入り袋を用いた染毛方法の手順を説明する図である。
【図１０】第８の実施形態に係る染毛剤入り袋を平面的に見て示した図である。
【図１１】第９の実施形態に係る染毛剤入り袋を平面的に見て示した図である。
【図１２】図１１に示す染毛剤入り袋を用いた染毛方法の手順を説明する図である。
【図１３】第９の実施形態に係る染毛剤入り袋を平面的に見て示した図である。
【図１４】図１３に示す染毛剤入り袋を用いた染毛方法の手順を説明する図である。
【発明を実施するための形態】
【００２２】
以下、下記の順序に従って本発明を説明する。
（１）第１の実施形態：
（２）第２の実施形態：
（３）第３の実施形態：
（４）第４の実施形態：
（５）第５の実施形態：
（６）第６の実施形態：
（７）第７の実施形態：
（８）第８の実施形態：
（９）第９の実施形態：
（１０）第１０の実施形態：
【００２３】
（１）第１の実施形態： 
図１は、本実施形態に係る染毛剤入り袋１００を平面的に見て示した図である。染毛剤入り袋１００は、少なくとも後述するカット手段２２，２４が形成される部位を樹脂シートを重ね合わせ接着した重合縁部としてある。本実施形態に係る染毛剤入り袋１００では、染毛剤入り袋１００の全周を重合縁部としてある。
【００２４】
染毛剤入り袋１００には調整前の染毛剤（以下、調整前染毛剤と記載する。）が封入されている。調整前の染毛剤としては、例えば、天然物由来のヘナの粉末等の粉状もしくはペースト状の染毛剤、２種類の剤を混合調整して染毛剤に調整する２剤混合タイプ染毛剤の一方の剤、が例示されるが、これに限るものではない。
【００２５】
図１の染毛剤入り袋１００は、平面視、野球のホームベース状の五角形であり、樹脂シートを重ね合わせ接着して形成した重合縁部は、それぞれが五角形の辺に対応する上縁部１１、右縁部１２、左縁部１３、右下縁部１４、及び左下縁部１５により構成されている。
【００２６】
上縁部１１と右縁部１２の間の角部１６及び上縁部１１と左縁部１３の間の角部１７は略直角であり、右縁部１２と右下縁部１４の間の角部１８及び左縁部１３と左下縁部１５の間の角部１９は鈍角であり、右下縁部１４と左下縁部１５の間の角部２０は鋭角である。
【００２７】
角部２０に隣接する右下縁部１４の途中位置には、右下縁部１４の角部２０寄りの位置に、角部２０付近を横断状にカットして角部２０に吐出口２１を形成するための吐出口形成部としてのカット手段２２が設けられている。なお、カット手段２２は、角部２０に隣接する左下縁部１５の途中位置に設けてもよい。
【００２８】
カット手段２２は、右下縁部１４の途中位置に形成されたＶ字型の切り欠き部である開封用ノッチにより構成することができる。なお、開封用ノッチの形状はＶ字型に限るものではなく、Ｕ字型、半円形、台形、コ字型、直線状、円弧状等、様々な形状で実現することができる。図１には、カット手段２２から切断線が走行して形成されるラインの一例をカットラインＣＬ１として示してある。但し、同図に示すカットラインＣＬ１は一例であって、使用者の力加減等に応じて様々に変化することは言うまでもない。なお、カットラインＣＬ１の一例を樹脂シート上に印刷等により視認可能に示してもよく、樹脂シート上に印刷等により視認可能に示されたカットラインＣＬ１も吐出口形成部を構成する。
【００２９】
右縁部１２の途中位置には、右縁部１２の上縁部１１寄りの位置に、上縁部１１付近を上縁部１１に沿って横断状にカットして上縁部１１に注入口２３を形成するための注入口形成部としてのカット手段２４が設けられている。なお、カット手段２４は、左縁部１３の途中位置に設けてもよい。
【００３０】
カット手段２４は、右縁部１２の途中位置に形成されたＶ字型の切り欠き部である開封用ノッチにより構成することができる。なお、開封用ノッチの形状はＶ字型に限るものではなく、Ｕ字型、半円形、台形、コ字型、直線状、円弧状等、様々な形状で実現することができる。図１には、カット手段２４から切断線が走行して形成されるラインの一例をカットラインＣＬ２として示してある。但し、同図に示すカットラインＣＬ２は一例であって、使用者の力加減等に応じて様々に変化することは言うまでもない。なお、カットラインＣＬ２の一例を樹脂シート上に印刷等により視認可能に示してもよく、樹脂シート上に印刷等により視認可能に示されたカットラインＣＬ２も注入口形成部を構成する。
【００３１】
注入口２３は、吐出口２１よりも大きな開口として形成される。このため、後述するように注入を相対的に大きな開口から行うことができる一方、後述する調整後染毛剤の吐出を相対的に小さな開口から行うことができる。なお、注入口２３から注入する調整用剤は様々な液体やペーストが想定され、一例を挙げると、水、湯、薬液、薬剤含有ペースト等がある。
【００３２】
カットラインＣＬ１とカットラインＣＬ２の間には、注入ラインＷＬが設定される。注入ラインＷＬは、カットラインＣＬ２をカットして形成した注入口２３を上方に配向させつつカット手段２２をカットせず吐出口２１を形成せずに当該注入口２３から所定量の調整用剤を注入した際の注入量を示す注入指標である。注入ラインＷＬの一例については、カットラインＣＬ１，ＣＬ２と同様に、樹脂シート上に印刷等により視認可能に示してもよい。
【００３３】
なお、注入口２３から注入する所定量の調整用剤は、調整前染毛剤Ｃ１に加えて染毛に適した状態の染毛剤（以下、調整後染毛剤Ｃ２と記載する）を作製するのに好適な量である。従って、この注入指標となる所定量の調整用剤は、注入ラインＷＬを実際に染毛剤入り袋１００に印刷等により目視可能な状態で示してもよいし、別途の計量手段で計量して注入する際の注入指標（例えば、１００ｃｃ、等）を印刷等により染毛剤入り袋１００に表示してもよい。また、注入指標は、染毛剤入り袋１００を他の包材に収容して販売等する場合は、当該包材に印刷等により表示してもよいし、包材に同梱する書面に示してもよい。
【００３４】
このように、カットラインＣＬ１，ＣＬ２と注入ラインＷＬとが設定される関係上、注入ラインＷＬは、吐出口２１を形成するためのカット手段２２と注入口２３を形成するためのカット手段２４との間に位置することになる。
【００３５】
次に、染毛剤入り袋１００を用いた染毛方法について説明する。
図２は、図１に示す染毛剤入り袋１００を用いた染毛方法の手順を説明する図である。
【００３６】
まず、染毛剤入り袋１００のカット手段２４からカットラインＣＬ２に沿って染毛剤入り袋１００をカットして注入口２３を形成する（図２（ａ））。
【００３７】
次に、注入口２３から、注入ラインＷＬまで調整用剤を注入する（図２（ｂ））。注入ラインＷＬまで調整用剤が入ると、染毛剤入り袋１００に封入された調整前染毛剤Ｃ１と調整用剤とを混錬して粘度や濃度が染毛に適した状態の調整後染毛剤Ｃ２を作製するのに丁度よい量となる。
【００３８】
次に、注入口２３を閉口手段２５を用いて閉口する（図２（ｃ））。図２には、閉口手段２５として端止めクリップを用いた場合を例示してある。むろん、閉口手段２５は端止めクリップに限るものではなく、注入口２３の開口縁部を襞状に折り畳んで結束する輪ゴム等の結束手段を用いて固定してもよいし、注入口２３の開口縁部を折り返して目玉クリップ、ゼムクリップ、ダブルクリップ、洗濯ばさみ等の挟持手段で固定してもよい。
【００３９】
次に、染毛剤入り袋１００内の調整前染毛剤Ｃ１と調整用剤とを手指等で袋の外部から押し混ぜる等して十分に混錬して、染毛剤入り袋１００内で調整後染毛剤Ｃ２を作製する（図２（ｃ））。
【００４０】
そして、染毛剤入り袋１００内で調整後染毛剤Ｃ２を作製すると、カット手段２２からカットラインＣＬ１に沿って染毛剤入り袋１００をカットして吐出口２１を形成する（図２（ｄ））。これにより、染毛剤入り袋１００から調整後染毛剤Ｃ２を吐出可能となる。すなわち、染毛剤入り袋１００の胴部２６を押圧することにより、吐出口２１から調整後染毛剤Ｃ２を適量ずつ吐出させることができる。
【００４１】
以上説明したように、本実施形態に係る染毛剤入り袋１００を用いた染毛方法によれば、染毛剤入り袋１００内に封入された状態で販売された調整前染毛剤Ｃ１を、使用時に染毛剤入り袋内で調整用剤を加えて調整後染毛剤Ｃ２を作製して吐出口２１から吐出させつつ使用できるため、染毛剤の使用上の利便性を向上することができる。
【００４２】
（２）第２の実施形態：
図３は、本実施形態に係る染毛剤入り袋２００を平面的に見て示した図である。本実施形態に係る染毛剤入り袋２００も、全周の縁部を溶着等により接着して重合縁部としてあり、染毛剤入り袋２００にもヘナ等の調整前染毛剤Ｃ１が封入されている。
【００４３】
図３の染毛剤入り袋２００は、平面視、略直角台形であり、樹脂シートを重ね合わせ接着して形成した重合縁部は、それぞれが直角台形の辺に対応する上縁部２１１、右縁部２１２、左縁部２１３、斜辺縁部２１４により構成されている。
【００４４】
上縁部２１１と右縁部２１２の間の角２１５及び上縁部２１１と左縁部２１３の間の角部２１６は略直角であり、右縁部２１２と斜辺縁部２１４の間の角部２１７は鋭角であり、左縁部２１３と斜辺縁部２１４の間の角部２１８は鈍角である。
【００４５】
角部２１７に隣接する右縁部２１２の途中位置には、右縁部２１２の角部２１７寄りの位置に、角部２１７付近を右縁部２１２から斜辺縁部２１４に向けて横断状にカットして吐出口２２１を形成するための吐出口形成部としてのカット手段２２２が設けられている。なお、カット手段２２２は、角部２１７に隣接する斜辺縁部２１４の途中位置に設けてもよい。
【００４６】
カット手段２２２は、右縁部２１２の途中位置に形成されたＶ字型の切り欠き部である開封用ノッチにより構成することができる。なお、開封用ノッチの形状はＶ字型に限るものではなく、Ｕ字型、半円形、台形、コ字型、直線状、円弧状等、様々な形状で実現することができる。図３には、カット手段２２２から切断線が走行して形成されるラインの一例をカットラインＣＬ１として示してある。但し、同図に示すカットラインＣＬ１は一例であって、使用者の力加減等に応じて様々に変化することは言うまでもない。なお、カットラインＣＬ１の一例を樹脂シート上に印刷等により視認可能に示してもよく、樹脂シート上に印刷等により視認可能に示されたカットラインＣＬ１も吐出口形成部を構成する。
【００４７】
右縁部２１２の途中位置には、右縁部２１２の上縁部２１１寄りの位置に、上縁部２１１付近を上縁部２１１に沿ってカットして注入口２２３を形成するための注入口形成部としてのカット手段２２４が設けられている。なお、カット手段２２４は、左縁部２１３の途中位置に設けてもよい。
【００４８】
カット手段２２４は、右縁部２１２の途中位置に形成されたＶ字型の切り欠き部である開封用ノッチにより構成することができる。なお、開封用ノッチの形状はＶ字型に限るものではなく、Ｕ字型、半円形、台形、コ字型、直線状、円弧状等、様々な形状で実現することができる。図３には、カット手段２２４から切断線が走行して形成されるラインの一例をカットラインＣＬ２として示してある。但し、同図に示すカットラインＣＬ２は一例であって、使用者の力加減等に応じて様々に変化することは言うまでもない。なお、カットラインＣＬ２の一例を樹脂シート上に印刷等により視認可能に示してもよく、樹脂シート上に印刷等により視認可能に示されたカットラインＣＬ２も注入口形成部を構成する。
【００４９】
注入口２２３は、吐出口２２１よりも大きな開口として形成される。このため、後述するように注入を相対的に大きな開口から行うことができる一方、調整後染毛剤Ｃ２の吐出を相対的に小さな開口から行うことができる。
【００５０】
カットラインＣＬ１とカットラインＣＬ２の間には、注入ラインＷＬが設定される。注入ラインＷＬは、カットラインＣＬ２をカットして形成した注入口２２３を上方に配向させつつカット手段２２２をカットせず吐出口２２１を形成せずに当該注入口２２３から所定量の調整用剤を注入した際の注入量を示す注入指標である。注入ラインＷＬの一例については、カットラインＣＬ１，ＣＬ２と同様に、樹脂シート上に印刷等により視認可能に示してもよい。
【００５１】
なお、注入口２２３から注入する所定量の調整用剤は、調整前染毛剤Ｃ１に加えて染毛に適した調整後染毛剤Ｃ２を作製するのに好適な量である。従って、この注入指標となる所定量の調整用剤は、注入ラインＷＬを実際に染毛剤入り袋２００に印刷等により目視可能な状態で示してもよいし、別途の計量手段で計量して注入する際の注入指標（例えば、１００ｃｃ、等）を印刷等により染毛剤入り袋２００に表示してもよい。また、注入指標は、染毛剤入り袋２００を他の包材に収容して販売等する場合は、当該包材に印刷等により表示してもよいし、包材に同梱する書面に示してもよい。
【００５２】
このように、カットラインＣＬ１，ＣＬ２と注入ラインＷＬとが設定される関係上、注入ラインＷＬは、吐出口２２１を形成するためのカット手段２２２と注入口２２３を形成するためのカット手段２２４との間に位置することになる。なお、染毛剤入り袋２００を用いた染毛方法については、上述した第１の実施形態と同様であるため説明を省略する。
【００５３】
（３）第３の実施形態：
図４は、本実施形態に係る染毛剤入り袋３００を平面的に見て示した図である。本実施形態に係る染毛剤入り袋３００も、全周の縁部を溶着等により接着して重合縁部としてあり、染毛剤入り袋３００にもヘナ等の調整前染毛剤Ｃ１が封入されている。
【００５４】
図４の染毛剤入り袋３００は、平面視、略三角形であり、樹脂シートを重ね合わせ接着して形成した重合縁部は、それぞれが略三角形の辺に対応する上縁部３１１、右縁部３１２、斜辺縁部３１３、により構成されている。なお、図に実際に示した形状は、鋭角の一方をわずかにカットして対辺と平行に形成した直角三角形状の直角台形である。
【００５５】
上縁部３１１と右縁部３１２の間の角部３１４は略直角であり、上縁部３１１と斜辺縁部３１３の間の角部３１５は鋭角であり、右縁部３１２と斜辺縁部３１３の間の角部３１５は鋭角である。なお、この右縁部３１２と斜辺縁部３１３の間の角部３１６は、実際に図４に示す例では、上述したように先端がカットされて対辺と平行な部分を有する形状である。
【００５６】
角部３１６に隣接する右縁部３１２の途中位置には、右縁部３１２の角部３１６寄りの位置に、角部３１６付近を右縁部３１２から斜辺縁部３１３に向けてカットして角部３１６に吐出口３２１を形成するための吐出口形成部としてのカット手段３２２が設けられている。なお、カット手段３２２は、角部３１６に隣接する斜辺縁部３１３の途中位置に設けてもよい。
【００５７】
カット手段３２２は、右縁部３１２の途中位置に形成されたＶ字型の切り欠き部である開封用ノッチにより構成することができる。なお、開封用ノッチの形状はＶ字型に限るものではなく、Ｕ字型、半円形、台形、コ字型、直線状、円弧状等、様々な形状で実現することができる。図４には、カット手段３２２から切断線が走行して形成されるラインの一例をカットラインＣＬ１として示してある。但し、同図に示すカットラインＣＬ１は一例であって、使用者の力加減等に応じて様々に変化することは言うまでもない。なお、カットラインＣＬ１の一例を樹脂シート上に印刷等により視認可能に示してもよく、樹脂シート上に印刷等により視認可能に示されたカットラインＣＬ１も吐出口形成部を構成する。
【００５８】
右縁部３１２の途中位置には、右縁部３１２の上縁部３１１寄りの位置に、上縁部３１１付近を上縁部３１１に沿ってカットして注入口３２３を形成するための注入口形成部としてのカット手段３２４が設けられている。なお、カット手段３２４は、上縁部３１１付近の斜辺縁部３１３の途中位置に設けてもよい。
【００５９】
カット手段３２４は、右縁部３１２の途中位置に形成されたＶ字型の切り欠き部である開封用ノッチにより構成することができる。なお、開封用ノッチの形状はＶ字型に限るものではなく、Ｕ字型、半円形、台形、コ字型、直線状、円弧状等、様々な形状で実現することができる。図４には、カット手段３２４から切断線が走行して形成されるラインの一例をカットラインＣＬ２として示してある。但し、同図に示すカットラインＣＬ２は一例であって、使用者の力加減等に応じて様々に変化することは言うまでもない。なお、カットラインＣＬ２の一例を樹脂シート上に印刷等により視認可能に示してもよく、樹脂シート上に印刷等により視認可能に示されたカットラインＣＬ２も注入口形成部を構成する。
【００６０】
注入口３２３は、吐出口３２１よりも大きな開口として形成される。このため、後述するように注入を相対的に大きな開口から行うことができる一方、調整後染毛剤Ｃ２の吐出を相対的に小さな開口から行うことができる。
【００６１】
カットラインＣＬ１とカットラインＣＬ２の間には、注入ラインＷＬが設定される。注入ラインＷＬは、カットラインＣＬ２をカットして形成した注入口３２３を上方に配向させつつカット手段３２２をカットせず吐出口３２１を形成せずに当該注入口３２３から所定量の調整用剤を注入した際の注入量を示す注入指標である。注入ラインＷＬの一例については、カットラインＣＬ１，ＣＬ２と同様に、樹脂シート上に印刷等により視認可能に示してもよい。
【００６２】
なお、注入口３２３から注入する所定量の調整用剤は、調整前染毛剤Ｃ１に加えて染毛に適した調整後染毛剤Ｃ２を作製するのに好適な量である。従って、この注入指標となる所定量の調整用剤は、注入ラインＷＬを実際に染毛剤入り袋３００に印刷等により目視可能な状態で示してもよいし、別途の計量手段で計量して注入する際の注入指標（例えば、１００ｃｃ、等）を印刷等により染毛剤入り袋３００に表示してもよい。また、注入指標は、染毛剤入り袋３００を他の包材に収容して販売等する場合は、当該包材に印刷等により表示してもよいし、包材に同梱する書面に示してもよい。
【００６３】
このように、カットラインＣＬ１，ＣＬ２と注入ラインＷＬとが設定される関係上、注入ラインＷＬは、吐出口３２１を形成するためのカット手段３２２と注入口３２３を形成するためのカット手段３２４との間に位置することになる。なお、染毛剤入り袋３００を用いた染毛方法については、上述した第１の実施形態と同様であるため説明を省略する。
【００６４】
（４）第４の実施形態：
図５は、本実施形態に係る染毛剤入り袋４００を平面的に見て示した図である。本実施形態に係る染毛剤入り袋４００も、全周の縁部を溶着等により接着して重合縁部としてあり、溶着縁部によって囲われる枠内を密封してある。染毛剤入り袋４００にもヘナ等の調整前染毛剤Ｃ１が封入されている。
【００６５】
図５の染毛剤入り袋４００は、平面視、略矩形の本体部４１０と胴部の一辺から幅狭突出状に形成された凸部４３０とを有している。図５に示す例では、凸部４３０は、本体部４１０よりも幅狭の矩形に形成され、本体部４１０の下辺から突出上に形成されている。
【００６６】
樹脂シートを重ね合わせ接着して形成した重合縁部は、本体部４１０においては、それぞれが略矩形の辺に対応する上縁部４１１、右縁部４１２、左縁部４１３、下縁部４１４により構成され、凸部４３０においては、それぞれが略矩形の辺に対応する右縁部４３１、左縁部４３２、下縁部４３３、上縁部４３４により構成されている。なお、本体部４１０の下縁部４１４は、凸部４３０と連続する部位の中ほどを除いて重合縁部になっている。同様に、凸部４３０の上縁部４３５は本体部４１０と連続する部位の中ほどを除いて重合縁部になっている。
【００６７】
凸部４３０の右縁部４３１の途中位置には、凸部４３０の凸端（下縁部４３３）付近を右縁部４３１から左縁部４３２に向けて横断状にカットして凸部４３０に吐出口４２１を形成するための吐出口形成部としてのカット手段４２２が設けられている。なお、カット手段４２２は、凸部４３０の先端付近の左縁部４３２の途中位置に設けてもよい。
【００６８】
カット手段４２２は、右縁部４３１の途中位置に形成されたＶ字型の切り欠き部である開封用ノッチにより構成することができる。なお、開封用ノッチの形状はＶ字型に限るものではなく、Ｕ字型、半円形、台形、コ字型、直線状、円弧状等、様々な形状で実現することができる。図５には、カット手段４２２から切断線が走行して形成されるラインの一例をカットラインＣＬ１として示してある。但し、同図に示すカットラインＣＬ１は一例であって、使用者の力加減等に応じて様々に変化することは言うまでもない。なお、カットラインＣＬ１の一例を樹脂シート上に印刷等により視認可能に示してもよく、樹脂シート上に印刷等により視認可能に示されたカットラインＣＬ１も吐出口形成部を構成する。
【００６９】
本体部４１０の右縁部４１２の途中位置には、右縁部４１２の上縁部４１１寄りの位置に、上縁部４１１付近を上縁部４１１に沿って横断状にカットして注入口４２３を形成するための注入口形成部としてのカット手段４２４が設けられている。なお、カット手段４２４は、上縁部４１１付近の左縁部４１３の途中位置に設けてもよい。
【００７０】
カット手段４２４は、右縁部４１２の途中位置に形成されたＶ字型の切り欠き部である開封用ノッチにより構成することができる。なお、開封用ノッチの形状はＶ字型に限るものではなく、Ｕ字型、半円形、台形、コ字型、直線状、円弧状等、様々な形状で実現することができる。図５には、カット手段４２４から切断線が走行して形成されるラインの一例をカットラインＣＬ２として示してある。但し、同図に示すカットラインＣＬ２は一例であって、使用者の力加減等に応じて様々に変化することは言うまでもない。なお、カットラインＣＬ２の一例を樹脂シート上に印刷等により視認可能に示してもよく、樹脂シート上に印刷等により視認可能に示されたカットラインＣＬ２も注入口形成部を構成する。
【００７１】
注入口４２３は、吐出口４２１よりも大きな開口として形成される。このため、後述するように注入を相対的に大きな開口から行うことができる一方、後述する調整後染毛剤Ｃ２の吐出を相対的に小さな開口から行うことができる。
【００７２】
カットラインＣＬ１とカットラインＣＬ２の間には、注入ラインＷＬが設定される。注入ラインＷＬは、カットラインＣＬ２をカットして形成した注入口４２３を上方に配向させつつカット手段４２２をカットせず吐出口４２１を形成せずに当該注入口４２３から所定量の調整用剤を注入した際の注入量を示す注入指標である。注入ラインＷＬの一例については、カットラインＣＬ１，ＣＬ２と同様に、樹脂シート上に印刷等により視認可能に示してもよい。
【００７３】
このように、カットラインＣＬ１，ＣＬ２と注入ラインＷＬとが設定される関係上、注入ラインＷＬは、吐出口４２１を形成するためのカット手段４２２と注入口４２３を形成するためのカット手段４２４との間に位置することになる。なお、染毛剤入り袋４００を用いた染毛方法については、上述した第１の実施形態と同様であるため説明を省略する。
【００７４】
（５）第５の実施形態：
図６は、本実施形態に係る染毛剤入り袋５００を平面的に見て示した図である。本実施形態に係る染毛剤入り袋５００も、全周の縁部を溶着等により接着して重合縁部としてあり、染毛剤入り袋５００にもヘナ等の調整前染毛剤Ｃ１が封入されている。
【００７５】
図６の染毛剤入り袋５００は、平面視、略矩形であり、樹脂シートを重ね合わせ接着して形成した重合縁部は、それぞれが略矩形の辺に対応する上縁部５１１、右縁部５１２、左縁部５１３、下縁部５１４、により構成されている。各縁部の間の角部５１５，５１６，５１７，５１８は、いずれも略直角である。
【００７６】
角部５１７に隣接する右縁部５１２の途中位置には、角部５１７付近を右縁部５１２から下縁部５１４に向けてカットして角部５１７に吐出口５２１を形成するための吐出口形成部としてのカット手段５２２が設けられている。なお、カット手段５２２は、角部５１８に隣接する左縁部５１３の途中位置に設けてもよく、この場合、角部５１８付近を左縁部５１３から下縁部５１４に向けてカットして角部５１８に吐出口５２１を形成することになる。
【００７７】
カット手段５２２は、右縁部５１２の途中位置に形成されたＶ字型の切り欠き部である開封用ノッチにより構成することができる。なお、開封用ノッチの形状はＶ字型に限るものではなく、Ｕ字型、半円形、台形、コ字型、直線状、円弧状等、様々な形状で実現することができる。図６には、カット手段５２２から切断線が走行して形成されるラインの一例をカットラインＣＬ１として示してある。但し、同図に示すカットラインＣＬ１は一例であって、使用者の力加減等に応じて様々に変化することは言うまでもない。なお、カットラインＣＬ１の一例を樹脂シート上に印刷等により視認可能に示してもよく、樹脂シート上に印刷等により視認可能に示されたカットラインＣＬ１も吐出口形成部を構成する。
【００７８】
右縁部５１２の途中位置には、右縁部５１２の上縁部５１１寄りの位置に、上縁部５１１付近を上縁部５１１に沿ってカットして注入口５２３を形成するための注入口形成部としてのカット手段５２４が設けられている。なお、カット手段５２４は、上縁部５１１付近の左縁部５１３の途中位置に設けてもよい。
【００７９】
カット手段５２４は、右縁部５１２の途中位置に形成されたＶ字型の切り欠き部である開封用ノッチにより構成することができる。なお、開封用ノッチの形状はＶ字型に限るものではなく、Ｕ字型、半円形、台形、コ字型、直線状、円弧状等、様々な形状で実現することができる。図６には、カット手段５２４から切断線が走行して形成されるラインの一例をカットラインＣＬ２として示してある。但し、同図に示すカットラインＣＬ２は一例であって、使用者の力加減等に応じて様々に変化することは言うまでもない。なお、カットラインＣＬ２の一例を樹脂シート上に印刷等により視認可能に示してもよく、樹脂シート上に印刷等により視認可能に示されたカットラインＣＬ２も注入口形成部を構成する。
【００８０】
注入口５２３は、吐出口５２１よりも大きな開口として形成される。このため、後述するように注入を相対的に大きな開口から行うことができる一方、後述する調整後染毛剤Ｃ２の吐出を相対的に小さな開口から行うことができる。
【００８１】
カットラインＣＬ１とカットラインＣＬ２の間には、注入ラインＷＬが設定される。注入ラインＷＬは、カットラインＣＬ２をカットして形成した注入口５２３を上方に配向させつつカット手段５２２をカットせず吐出口５２１を形成せずに当該注入口５２３から所定量の調整用剤を注入した際の注入量を示す注入指標である。注入ラインＷＬの一例については、カットラインＣＬ１，ＣＬ２と同様に、樹脂シート上に印刷等により視認可能に示してもよい。
【００８２】
なお、注入口５２３から注入する所定量の調整用剤は、調整前染毛剤Ｃ１に加えて染毛に適した調整後染毛剤Ｃ２を作製するのに好適な量である。従って、この注入指標となる所定量の調整用剤は、注入ラインＷＬを実際に染毛剤入り袋５００に印刷等により目視可能な状態で示してもよいし、別途の計量手段で計量して注入する際の注入指標（例えば、１００ｃｃ、等）を印刷等により染毛剤入り袋５００に表示してもよい。また、注入指標は、染毛剤入り袋５００を他の包材に収容して販売等する場合は、当該包材に印刷等により表示してもよいし、包材に同梱する書面に示してもよい。
【００８３】
このように、カットラインＣＬ１，ＣＬ２と注入ラインＷＬとが設定される関係上、注入ラインＷＬは、吐出口５２１を形成するためのカット手段５２２と注入口５２３を形成するためのカット手段５２４との間に位置することになる。なお、染毛剤入り袋５００を用いた染毛方法については、上述した第１の実施形態と同様であるため説明を省略する。
【００８４】
（６）第６の実施形態： 
図７は、本実施形態に係る染毛剤入り袋６００を平面的に見て示した図である。本実施形態に係る染毛剤入り袋６００も、全周の縁部を溶着等により接着して重合縁部としてあり、染毛剤入り袋６００にもヘナ等の調整前染毛剤Ｃ１が封入されている。
【００８５】
図７の染毛剤入り袋６００は、平面視、略矩形であり、樹脂シートを重ね合わせ接着して形成した重合縁部は、それぞれが略矩形の辺に対応する上縁部６１１、右縁部６１２、左縁部６１３、下縁部６１４、により構成されている。
【００８６】
下縁部６１４の途中位置には、下縁部６１４の途中を凹状にカットして下縁部６１４に吐出口６２１を形成するための吐出口形成部としてのカット手段６２２が設けられている。なお、カット手段６２２は、左縁部６１３の途中位置や右縁部６１２の途中位置に設けてもよく、この場合、左縁部６１３又は右縁部６１２の途中を凹状にカットして、左縁部６１３又は右縁部６１２に吐出口６２１を形成することになる。
【００８７】
カット手段６２２は、下縁部６１４の途中位置に形成されたＶ字型の切り欠き部である開封用ノッチにより構成することができる。なお、開封用ノッチの形状はＶ字型に限るものではなく、Ｕ字型、半円形、台形、コ字型、直線状、円弧状等、様々な形状で実現することができる。図７には、カット手段６２２から切断線が走行して形成される半円状のラインの一例をカットラインＣＬ１として示してある。但し、同図に示すカットラインＣＬ１は一例であって、使用者の力加減等に応じて様々に変化することは言うまでもない。なお、カットラインＣＬ２の一例を樹脂シート上に印刷等により視認可能に示してもよく、樹脂シート上に印刷等により視認可能に示されたカットラインＣＬ１も吐出口形成部を構成する。
【００８８】
右縁部６１２の途中位置には、右縁部６１２の上縁部６１１寄りの位置に、上縁部６１１付近を上縁部６１１に沿ってカットして注入口６２３を形成するための注入口形成部としてのカット手段６２４が設けられている。なお、カット手段６２４は、上縁部６１１付近の左縁部６１３の途中位置に設けてもよい。
【００８９】
カット手段６２４は、右縁部６１２の途中位置に形成されたＶ字型の切り欠き部である開封用ノッチにより構成することができる。なお、開封用ノッチの形状はＶ字型に限るものではなく、Ｕ字型、半円形、台形、コ字型、直線状、円弧状等、様々な形状で実現することができる。図７には、カット手段６２４から切断線が走行して形成されるラインの一例をカットラインＣＬ２として示してある。但し、同図に示すカットラインＣＬ２は一例であって、使用者の力加減等に応じて様々に変化することは言うまでもない。なお、カットラインＣＬ２の一例を樹脂シート上に印刷等により視認可能に示してもよく、樹脂シート上に印刷等により視認可能に示されたカットラインＣＬ２も注入口形成部を構成する。
【００９０】
注入口６２３は、吐出口６２１よりも大きな開口として形成される。このため、後述するように注入を相対的に大きな開口から行うことができる一方、後述する調整後染毛剤Ｃ２の吐出を相対的に小さな開口から行うことができる。
【００９１】
カットラインＣＬ１とカットラインＣＬ２の間には、注入ラインＷＬが設定される。注入ラインＷＬは、カットラインＣＬ２をカットして形成した注入口６２３を上方に配向させつつカット手段６２２をカットせず吐出口６２１を形成せずに当該注入口６２３から所定量の調整用剤を注入した際の注入量を示す注入指標である。注入ラインＷＬの一例については、カットラインＣＬ１，ＣＬ２と同様に、樹脂シート上に印刷等により視認可能に示してもよい。
【００９２】
なお、注入口６２３から注入する所定量の調整用剤は、調整前染毛剤Ｃ１に加えて染毛に適した調整後染毛剤Ｃ２を作製するのに好適な量である。従って、この注入指標となる所定量の調整用剤は、注入ラインＷＬを実際に染毛剤入り袋６００に印刷等により目視可能な状態で示してもよいし、別途の計量手段で計量して注入する際の注入指標（例えば、１００ｃｃ、等）を印刷等により染毛剤入り袋６００に表示してもよい。また、注入指標は、染毛剤入り袋６００を他の包材に収容して販売等する場合は、当該包材に印刷等により表示してもよいし、包材に同梱する書面に示してもよい。
【００９３】
このように、カットラインＣＬ１，ＣＬ２と注入ラインＷＬとが設定される関係上、注入ラインＷＬは、吐出口６２１を形成するためのカット手段６２２と注入口６２３を形成するためのカット手段６２４との間に位置することになる。なお、染毛剤入り袋６００を用いた染毛方法については、上述した第１の実施形態と同様であるため説明を省略する。
【００９４】
（７）第７の実施形態： 
図８は、本実施形態に係る染毛剤入り袋７００を平面的に見て示した図である。本実施形態に係る染毛剤入り袋７００は、上縁部１１に沿ってジッパー型ファスナー７０１を設けた点を除くと、上述した第１の実施形態に係る染毛剤入り袋１００と同様の構造であるため、共通構成については図１と同じ符号を付して説明を省略する。
【００９５】
ジッパー型ファスナー７０１は、カットラインＣＬ２と注入ラインＷＬの間において、左縁部１３から右縁部１２まで延びる形で形成されている。ジッパー型ファスナー７０１は、左縁部１３と右縁部１２の間の非重合部分について開放状態と密閉状態とを自在に切り替えることができる。すなわち、前面側の樹脂シートの内面に形成された一方のファスナー構造と後面側の樹脂シートの内面に形成された他方のファスナー構造とを全体的に凹凸係合させると前面側の樹脂シートと後面側の樹脂シートの間の非重合部分が密閉状態となり、この凹凸係合を解除すると前面側の樹脂シートと後面側の樹脂シートの間の非重合部分が解放状態となる。
【００９６】
次に、図９を参照して、図８に示す染毛剤入り袋７００を用いた染毛方法の手順を説明する。
【００９７】
まず、染毛剤入り袋７００のカット手段２４からカットラインＣＬ２に沿って染毛剤入り袋７００をカットして注入口２３を形成する（図９（ａ））。
【００９８】
次に、注入口２３から、注入ラインＷＬまで調整用剤を注入する（図９（ｂ））。注入ラインＷＬまで調整用剤が入ると、丁度、染毛剤入り袋７００に封入された調整前染毛剤Ｃ１と混ぜて粘度や濃度が染毛に適した調整後染毛剤Ｃ２を作製するのに丁度良い量となる。
【００９９】
次に、ジッパー型ファスナー７０１を密封状態に切り替える（図９（ｃ））。これにより注入口２３が閉口され、染毛剤入り袋７００の内部の調整前染毛剤Ｃ１や調整用剤、調整後染毛剤Ｃ２が注入口２３から漏出することを防止できる。
【０１００】
次に、染毛剤入り袋７００内の調整前染毛剤Ｃ１と調整用剤とを手指等で袋の外部から押し混ぜる等して十分に混錬して、染毛剤入り袋７００内で調整後染毛剤Ｃ２を作製する（図９（ｃ））。
【０１０１】
そして、染毛剤入り袋７００内で調整後染毛剤Ｃ２を作製すると、カット手段２２からカットラインＣＬ１に沿って染毛剤入り袋をカットして吐出口２１を形成する（図９（ｄ））。これにより、染毛剤入り袋７００から調整後染毛剤Ｃ２を吐出可能となる。すなわち、染毛剤入り袋７００の胴部２６を押圧することにより、吐出口２１から調整後染毛剤Ｃ２を適量ずつ吐出させることができる。
【０１０２】
以上説明したように、本実施形態に係る染毛剤入り袋７００を用いた染毛方法によれば、染毛剤入り袋７００内に封入された状態で販売された調整前染毛剤Ｃ１を、端止めクリップ等の別体の部材を用いずに、使用時に染毛剤入り袋内で調整用剤を加えてペースト状に作製して使用できるため、染毛剤の使用上の利便性を向上することができる。
【０１０３】
（８）第８の実施形態： 
図１０は、本実施形態に係る染毛剤入り袋８００を平面的に見て示した図である。本実施形態に係る染毛剤入り袋８００は、カット手段２２を設けず、角部２０に相当する部位に予め吐出用の口金部８０１を設けてある点を除くと、上述した第１の実施形態に係る染毛剤入り袋１００と同様の構造であるため、共通する構成については図１と同様の符号を付して説明を省略する。
【０１０４】
口金部８０１は、金属製のみならず樹脂製であってよい。口金部８０１は、染毛剤入り袋８００の角部２０に相当する部位に形成された穴に、吐出口となる一方の開口を袋の外部に露出して固定され、他方の開口は袋の内部に向けて開口している。口金部８０１は、袋の外部に露出した開口である先端開口８０２を着脱自在の蓋としての栓部材８０３を有しており、この栓部材８０３を先端開口８０２に取り付けると先端開口８０２が閉塞される。染毛剤入り袋８００は、栓部材８０３を先端開口８０２に取り付けて、先端開口８０２を閉じた状態で使用者の手元に届けられる。
【０１０５】
使用者は、染毛剤入り袋８００を用いて染毛を行う際に、上述した第１の実施形態と同様に、染毛剤入り袋８００のカット手段２４からカットラインＣＬ２に沿って染毛剤入り袋８００をカットして注入口２３を形成し、注入口２３から注入ラインＷＬまで調整用剤を注入し、注入口２３を閉口手段２５（図１０には不図示）を用いて閉口し、染毛剤入り袋８００内の調整前染毛剤Ｃ１と調整用剤とを手指で十分に混錬して調整後染毛剤Ｃ２を染毛剤入り袋８００内で作製する。
【０１０６】
そして、染毛剤入り袋８００内に調整後染毛剤Ｃ２（図１０には不図示）が作製されると、口金部８０１の栓部材８０３を取り外して先端開口８０２を開いて吐出口２１を形成する。これにより、染毛剤入り袋８００の胴部２６に押圧を加えることにより、吐出口２１から調整後染毛剤Ｃ２を適量ずつ吐出させることができる。
【０１０７】
（９）第９の実施形態： 
図１１は、本実施形態に係る染毛剤入り袋９００を平面的に見て示した図である。本実施形態に係る染毛剤入り袋９００は、第１の実施形態のカット手段２４を設けず、第１の実施形態の染毛剤入り袋１００の角部２０に相当する部位から連続的に拡幅部９０１を設けてある点を除くと、上述した第１の実施形態に係る染毛剤入り袋１００と同様の構造であるため、共通する構成については図１と同じ符号を付して詳細な説明を省略する。
【０１０８】
以下では、第１の実施形態の角部２０に相当する部位をくびれ部９０２とし、くびれ部９０２を挟んで拡幅部９０１と反対側に設けられる、第１の実施形態の染毛剤入り袋１００に対応する部位を本体部９０３とする。本体部９０３は、くびれ部９０２に近づくほど縮幅する形状である。
【０１０９】
樹脂シートを重ね合わせ接着して形成した重合縁部は、本体部９０３においては、それぞれが五角形の辺に対応する上縁部１１、右縁部１２、左縁部１３、右下縁部１４、及び左下縁部１５により構成されている。なお、右下縁部１４と左下縁部１５の間では、拡幅部９０１と連続する部位の中ほどを除いて、前面側の樹脂シートと後面側の樹脂シートとが接着されている。拡幅部９０１は、本体部９０３と連続する部位の中ほどを除く部位で前面側の樹脂シートと後面側の樹脂シートとが接着されており、拡幅部９０１において前面側の樹脂シートと後面側の樹脂シートを接着する縁部は、概略、右斜辺に沿う部位を含む右縁部９０４、左斜辺に沿う部位を含む左縁部９０５、底辺縁部９０６を有する。
【０１１０】
拡幅部９０１の右縁部９０４の途中位置には、底辺縁部９０６付近を底辺縁部９０６に沿ってカットして注入口９２３を形成するための注入口形成部としてのカット手段９２４が設けられている。なお、カット手段９２４は、底辺縁部９０６付近の拡幅部９０１の左縁部９０５の途中位置に設けてもよい。
【０１１１】
カット手段９２４は、右縁部９０４の途中位置に形成されたＶ字型の切り欠き部である開封用ノッチにより構成することができる。なお、開封用ノッチの形状はＶ字型に限るものではなく、Ｕ字型、半円形、台形、コ字型、直線状、円弧状等、様々な形状で実現することができる。図１１には、カット手段９２４から切断線が走行して形成されるラインをカットラインＣＬ２として示してある。なお、カットラインＣＬ２の一例を樹脂シート上に印刷等により視認可能に示してもよく、樹脂シート上に印刷等により視認可能に示されたカットラインＣＬ２も注入口形成部を構成する。
【０１１２】
くびれ部９０２の右側又は左側には、くびれ部９０２付近をカットして吐出口９２１を形成するための吐出口形成部としてのカット手段９２２が設けられている。このカット手段９２２は、くびれ部９０２に形成されたＶ字型の切り欠き部である開封用ノッチにより構成することができる。なお、開封用ノッチの形状はＶ字型に限るものではなく、Ｕ字型、半円形、台形、コ字型、直線状、円弧状等、様々な形状で実現することができる。図１１には、カット手段９２２から切断線が走行して形成されるラインをカットラインＣＬ１として示してある。なお、カットラインＣＬ１の一例を樹脂シート上に印刷等により視認可能に示してもよく、樹脂シート上に印刷等により視認可能に示されたカットラインＣＬ１も吐出口形成部を構成する。
【０１１３】
注入口９２３は、吐出口９２１よりも大きな開口として形成される。このため、後述するように注入を相対的に大きな開口から行うことができる一方、後述する調整後染毛剤Ｃ２の吐出を相対的に小さな開口から行うことができる。
【０１１４】
カットラインＣＬ１を挟んでカットラインＣＬ２とは反対側に、注入ラインＷＬが設定される。注入ラインＷＬは、カットラインＣＬ２をカットして形成した注入口９２３を上方に配向させつつカット手段９２２をカットせず吐出口９２１を形成せずに当該注入口９２３から所定量の調整用剤を注入した際の注入量を示す注入指標である。注入ラインＷＬの一例については、カットラインＣＬ１，ＣＬ２と同様に、樹脂シート上に印刷等により視認可能に示してもよい。
【０１１５】
なお、注入口９２３から注入する所定量の調整用剤は、調整前染毛剤Ｃ１に加えて染毛に適した調整後染毛剤Ｃ２を作製するのに好適な量である。従って、この注入指標となる所定量の調整用剤は、注入ラインＷＬを実際に染毛剤入り袋９００に印刷等により目視可能な状態で示してもよいし、別途の計量手段で計量して注入する際の注入指標（例えば、１００ｃｃ、等）を印刷等により染毛剤入り袋９００に表示してもよい。また、注入指標は、染毛剤入り袋９００を他の包材に収容して販売等する場合は、当該包材に印刷等により表示してもよいし、包材に同梱する書面に示してもよい。
【０１１６】
このように、カットラインＣＬ１，ＣＬ２と注入ラインＷＬとが設定される関係上、注入ラインＷＬは、吐出口９２１を形成するためのカット手段９２２を挟んで、注入口９２３を形成するためのカット手段９２４とは反対側に形成されることになる。以下、染毛剤入り袋９００を用いた染毛方法について説明する。
【０１１７】
図１２は、図１１に示す染毛剤入り袋９００を用いた染毛方法の手順を説明する図である。
【０１１８】
まず、染毛剤入り袋９００のカット手段９２４からカットラインＣＬ２に沿って染毛剤入り袋９００をカットして注入口９２３を形成する（図１２（ａ））。このとき、染毛剤入り袋９００は、拡幅部９０１よりも本体部９０３が下方に位置するような上下関係とし、調整前染毛剤Ｃ１が本体部９０３内に位置するようにすることが好ましい。
【０１１９】
次に、注入口９２３から、注入ラインＷＬまで調整用剤を注入する（図１２（ｂ））。注入ラインＷＬまで調整用剤が入ると、染毛剤入り袋９００に封入された調整前染毛剤Ｃ１と調整用剤とを混錬して粘度や濃度が染毛に適した調整後染毛剤Ｃ２を作製するのに丁度良い量となる。
【０１２０】
次に、染毛剤入り袋９００内の調整前染毛剤Ｃ１と調整用剤とを手指等で袋の外部から押し混ぜる等して十分に混錬して、調整後染毛剤Ｃ２を染毛剤入り袋９００内で作製する（図１２（ｃ））。このとき、本実施形態に係る染毛剤入り袋９００においては、注入口９２３を閉じる必要が無い。
【０１２１】
そして、染毛剤入り袋９００内で調整後染毛剤Ｃ２を作製すると、カット手段９２２からカットラインＣＬ１に沿って染毛剤入り袋をカットして、拡幅部９０１を本体部９０３から切り離すことにより、吐出口９２１を形成する（図１２（ｄ））。これにより、染毛剤入り袋９００から調整後染毛剤Ｃ２を吐出可能となる。すなわち、染毛剤入り袋９００の胴部２６に押圧を加えることにより、吐出口９２１から調整後染毛剤Ｃ２を適量ずつ吐出させることができる。
【０１２２】
以上説明したように、本実施形態に係る染毛剤入り袋９００を用いた染毛方法によれば、染毛剤入り袋９００内に封入された状態で販売された調整前染毛剤Ｃ１を、端止めクリップなどの別体の部材を用いることなく、使用時に染毛剤入り袋内で液体を加えてペースト状に作製して使用できるため、染毛剤の使用上の利便性を向上することができる。
【０１２３】
（１０）第１０の実施形態：
図１３は、本実施形態に係る染毛剤入り袋１０００を平面的に見て示した図である。本実施形態に係る染毛剤入り袋１０００は、カット手段２４を設けず、開口１０２３及び開口１０２３を閉塞する封止手段１０２４を設けた点を除くと、上述した第１の実施形態に係る染毛剤入り袋１００と同様の構造であるため、共通構成については図１と同じ符号を付して説明を省略する。
【０１２４】
袋１０００には、上縁部１１付近に開口１０２３が設けられており、図１３、図１４には上縁部１１付近の前面側の樹脂シートを左右方向に一定長カットしたスリット状の開口形状を採用した場合を例示してある。ただし、開口１０２３の形状や形成位置は特にこの態様に限定されるものではなく様々に変更可能である。
【０１２５】
開口１０２３は、封止手段１０２４により閉塞されており、封止手段１０２４を開封すると開口１０２３が露見し、封止手段１０２４で再封止すると開口１０２３が閉塞される。封止手段１０２４は、例えば、シール等のシート状貼着体により構成され、開口１０２３を閉塞するべく袋１０００に貼着された状態から開口１０２３を露見させるべく剥がした後、少なくとも１回以上、再貼着して開口１０２３を再封止可能なシート状貼着体により構成される。開口１０２３は、露見状態において、上述した第１の実施形態に係る注入口２３と同様に、水、湯、薬液、薬剤含有ペースト等の調整用剤を注入するための注入口として機能する。すなわち、本実施形態においては、封止手段１０２４によって閉塞された開口１０２３が注水口形成手段を構成するとともに、封止手段１０２４が注入口形成部により形成される注入口の開口を閉じるための閉口手段を構成する。
【０１２６】
カットラインＣＬ１と開口１０２３の間には、注入ラインＷＬが設定される。注入ラインＷＬは、開口１０２３最寄りの縁部を上方に配向させつつカット手段２２をカットせず吐出口２１を形成せずに当該開口１０２３から所定量の調整用剤を注入した際の注入量を示す注入指標である。注入ラインＷＬの一例については、カットラインＣＬ１と同様に、樹脂シート上に印刷等により視認可能に示してもよく、樹脂シート上に印刷等により視認可能に示されたカットラインＣＬ２も注入口形成部を構成する。
【０１２７】
このように、カットラインＣＬ１と開口１０２３と注入ラインＷＬとが設定される関係上、注入ラインＷＬは、開口１０２３と注入口２３を形成するためのカット手段２４との間に位置することになる。
【０１２８】
次に、染毛剤入り袋１０００を用いた染毛方法について説明する。
図１４は、図１３に示す染毛剤入り袋１０００を用いた染毛方法の手順を説明する図である。
【０１２９】
まず、封止手段１０２４の開封により開口１０２３を露見させる（図１４（ａ））。
【０１３０】
次に、開口１０２３から、注入ラインＷＬまで調整用剤を注入する（図１４（ｂ））。注入ラインＷＬまで調整用剤が入ると、染毛剤入り袋１０００に封入された調整前染毛剤Ｃ１と調整用剤とを混錬して粘度や濃度が染毛に適した状態の調整後染毛剤Ｃ２を作製するのに丁度よい量となる。
【０１３１】
次に、開口１０２３を封止手段１０２４を用いて再封止する（図１４（ｃ））。なお、図１４には、開口１０２３を封止していた封止手段１０２４で再封止する場合を例示してあるが、むろん、利用者が別途に用意したテープ等の封止手段を用いて再封止しても構わない。
【０１３２】
次に、染毛剤入り袋１０００内の調整前染毛剤Ｃ１と調整用剤とを手指等で袋の外部から押し混ぜる等して十分に混錬して、染毛剤入り袋１０００内で調整後染毛剤Ｃ２を作製する（図１４（ｃ））。
【０１３３】
そして、染毛剤入り袋１０００内で調整後染毛剤Ｃ２を作製すると、カット手段２２からカットラインＣＬ１に沿って染毛剤入り袋１０００をカットして吐出口２１を形成する（図１４（ｄ））。これにより、染毛剤入り袋１０００から調整後染毛剤Ｃ２を吐出可能となる。すなわち、染毛剤入り袋１０００の胴部２６を押圧することにより、吐出口２１から調整後染毛剤Ｃ２を適量ずつ吐出させることができる。
【０１３４】
以上説明したように、本実施形態に係る染毛剤入り袋１０００を用いた染毛方法によれば、染毛剤入り袋１０００内に封入された状態で販売された調整前染毛剤Ｃ１を、使用時に染毛剤入り袋内で調整用剤を加えて調整後染毛剤Ｃ２を作製して吐出口２１から吐出させつつ使用できるため、染毛剤の使用上の利便性を向上することができる。しかも、封止手段１０２４を開封するのみで、適切な形状と位置に形成された開口１０２３を注入口として利用可能であり、封止手段１０２４で開口１０２３を再封止できるため、別途に注入口を閉じるための部材を用意する必要が無いため、使用者の利便性が向上する。
【０１３５】
なお、本発明は上述した実施形態に限られず、上述した実施形態の中で開示した各構成を相互に置換したり組み合わせを変更したりした構成、公知技術並びに上述した実施形態の中で開示した各構成を相互に置換したり組み合わせを変更したりした構成、等も含まれる。また，本発明の技術的範囲は上述した実施形態に限定されず，特許請求の範囲に記載された事項とその均等物まで及ぶものである。
【符号の説明】
【０１３６】
１１…上縁部、１２…右縁部、１３…左縁部、１４…右下縁部、１５…左下縁部、１６…角部、１７…角部、１８…角部、１９…角部、２０…角部、２１…吐出口、２２…カット手段、２３…注入口、２４…カット手段、２５…閉口手段、２６…胴部、１００…染毛剤入り袋、２００…染毛剤入り袋、２１１…上縁部、２１２…右縁部、２１３…左縁部、２１４…斜辺縁部、２１５…角、２１６…角部、２１７…角部、２１８…角部、２２１…吐出口、２２２…カット手段、２２３…注入口、２２４…カット手段、３００…染毛剤入り袋、３１１…上縁部、３１２…右縁部、３１３…斜辺縁部、３１４…角部、３１５…角部、３１６…角部、３２１…吐出口、３２２…カット手段、３２３…注入口、３２４…カット手段、４００…染毛剤入り袋、４１０…本体部、４１１…上縁部、４１２…右縁部、４１３…左縁部、４１４…下縁部、４２１…吐出口、４２２…カット手段、４２３…注入口、４２４…カット手段、４３０…凸部、４３１…右縁部、４３２…左縁部、４３４…下縁部、４３５…上縁部、５００…染毛剤入り袋、５１１…上縁部、５１２…右縁部、５１３…左縁部、５１４…下縁部、５１７…角部、５１８…角部、５２１…吐出口、５２２…カット手段、５２３…注入口、５２４…カット手段、６００…染毛剤入り袋、６１１…上縁部、６１２…右縁部、６１３…左縁部、６１４…下縁部、６２１…吐出口、６２２…カット手段、６２３…注入口、６２４…カット手段、７００…染毛剤入り袋、７０１…ジッパー型ファスナー、８００…染毛剤入り袋、８０１…口金部、８０２…先端開口、８０３…栓部材、９００…染毛剤入り袋、９０１…拡幅部、９０２…くびれ部、９０３…本体部、９０４…右縁部、９０５…左縁部、９０６…底辺縁部、９２１…吐出口、９２２…カット手段、９２３…注入口、９２４…カット手段、１０００…染毛剤入り袋、１０２３…開口、１０２４…封止手段、ＣＬ１…カットライン、ＣＬ２…カットライン、Ｃ２…調整後染毛剤、Ｃ１…調整前染毛剤、ＷＬ…注入ライン
【図１】
0006570340.tif 000002
【図２】
0006570340.tif 000003
【図３】
0006570340.tif 000004
【図４】
0006570340.tif 000005
【図５】
0006570340.tif 000006
【図６】
0006570340.tif 000007
【図７】
0006570340.tif 000008
【図８】
0006570340.tif 000009
【図９】
0006570340.tif 000010
【図１０】
0006570340.tif 000011
【図１１】
0006570340.tif 000012
【図１２】
0006570340.tif 000013
【図１３】
0006570340.tif 000014
【図１４】
0006570340.tif 000015